(57)【要約】【課題】キャビネットの開口部への遊戯部の取り付け施工性を向上できるヒンジ装置を提供する。【解決手段】キャビネット２の側板部５に取り付けたヒンジ装置３１の係止突起５６の上方に、遊戯部１１に取り付けた連結部材２１の係止孔２６を位置合わせする。遊戯部１１を重力方向Ｇに沿って降ろすだけで係止孔２６が係止突起５６に係止する。遊戯部１１を片手で持ち上げて支えながら、遊戯部１１をキャビネット２のヒンジ装置３１に押し付ける作業が不要となる。キャビネット２への遊戯部１１の取り付け作業が簡単な構成で確実かつ容易にできる。【選択図】        図１
2004346490.tif 000002
【特許請求の範囲】
【請求項１】
係止孔およびこの係止孔に係止する係止突起のいずれか一方が設けられた開閉体に取り付けられ、前記係止孔および係止突起のいずれか他方が設けられたカップ部材と、
固定部材に取り付けられるヒンジ本体と、
このヒンジ本体と前記カップ部材とを回動可能に取り付けるリンク部材と
を具備したことを特徴としたヒンジ装置。
【請求項２】
固定部材と、
開閉体と、
この開閉体に取り付けられるカップ部材、前記固定部材に取り付けられるヒンジ本体、およびこのヒンジ本体と前記カップ部材とを回動可能に取り付けるリンク部材を備えたヒンジ装置とを具備し、
このヒンジ装置のカップ部材および前記開閉体のいずれか一方には、係止孔が設けられ、
前記ヒンジ装置のカップ部材および前記開閉体のいずれか他方には、前記係止孔に係止する係止突起が設けられている
ことを特徴とした開閉体装置。
【請求項３】
係止孔と係止突起とは、重力方向に沿って係止されている
ことを特徴とした請求項２記載の開閉体装置。
【請求項４】
固定部材と、
開閉体と、
この開閉体に取り付けられるカップ部材、前記固定部材に取り付けられるヒンジ本体、およびこのヒンジ本体に前記カップ部材を回動可能に取り付けるリンク部材を備えたヒンジ装置とを具備し、
このヒンジ装置のカップ部材および前記開閉体のいずれか一方には、係止孔が設けられ、
前記ヒンジ装置のカップ部材および前記開閉体のいずれか他方には、前記係止孔に係止する係止突起が設けられた開閉体装置の施工方法であって、
この開閉体装置のヒンジ装置を、このヒンジ装置のヒンジ本体を介して前記固定部材に取り付けた後、前記係止孔に前記係止突起を係止させて前記ヒンジ装置のカップ部材を前記開閉体に取り付ける
ことを特徴とした開閉体装置の施工方法。
【請求項５】
係止孔に係止突起を重力方向に沿って係止させる
ことを特徴とした請求項４記載の開閉体装置の施工方法。
【発明の詳細な説明】
【０００１】
【発明の属する技術分野】
本発明は、固定部材に開閉体を開閉可能に取り付けるヒンジ装置、これを備えた開閉体装置、およびこの開閉体装置の施工方法に関する。
【０００２】
【従来の技術】
この種の開閉体装置は、例えばパチンコ店に設置されているスロットマシン、いわゆるパチスロ台である。そして、このパチスロ台は、このパチスロ台の前面に位置する開閉体としての遊戯部を備えている。この遊戯部は、固定部材としての筐体であるキャビネットの前面に開閉可能に取り付けられている。すなわち、この遊戯部は、キャビネットの前面に形成された開口部に対して丁番を介して回動可能に連結されている。
【０００３】
近年、この種の丁番としては、スライドヒンジといわれるヒンジ装置が用いられる。そして、このスライドヒンジは、遊戯部にてキャビネットの開口部を閉じた状態から、この遊戯部を回動させてキャビネットの開口部を開ける際に、この遊戯部の回転中心がキャビネットの中心側および前側に移動する。
【０００４】
このため、この遊戯部を回動させてキャビネットの開口部を開けた場合に、この遊戯部が隣接した他の遊戯部に重ならないので、この他の遊戯部での遊戯を中止させることなく、遊戯部を回動させてキャビネットを開閉できる。そして、このように遊戯部をキャビネットに取り付けるためのスライドヒンジは、例えば、遊戯部に予め取り付けられたヒンジ本体を、キャビネットに取り付けられたベース体に押し付けることにより、遊戯部がキャビネットの開口部にワンタッチで取り付けることができるものが主流となっている（例えば、特許文献１参照。）。
【０００５】
【特許文献１】
特開平４−１１５０７３号公報（第２−６頁、第１図−第５図）
【０００６】
【発明が解決しようとする課題】
しかしながら、上述のスライドヒンジにて遊戯部をキャビネットの開口部に取り付けた場合には、パチスロ用の遊戯部は一般に重量があるため、この遊戯部を支えながらスライドヒンジのヒンジ本体をベース体に押し付けなければならず、この遊戯部をキャビネットの開口部に取り付ける作業が容易ではないという問題を有している。
【０００７】
本発明は、このような点に鑑みなされたもので、取り付け性を向上できるヒンジ装置、これを備えた開閉体装置、およびこの開閉体装置の施工方法を提供することを目的とする。
【０００８】
【課題を解決するための手段】
請求項１記載のヒンジ装置は、係止孔およびこの係止孔に係止する係止突起のいずれか一方が設けられた開閉体に取り付けられ、前記係止孔および係止突起のいずれか他方が設けられたカップ部材と、固定部材に取り付けられるヒンジ本体と、このヒンジ本体と前記カップ部材とを回動可能に取り付けるリンク部材とを具備したものである。
【０００９】
そして、ヒンジ本体を固定部材に取り付けた後、開閉体に設けた係止孔および係止突起の一方を、カップ部材に設けた係止孔および係止突起の他方に係止させる。この結果、これらヒンジ本体とカップ部材とを回動可能に取り付けるリンク部材によって開閉体が固定部材に回動可能に取り付けられる。このため、この固定部材への開閉体の取り付け性が向上する。
【００１０】
請求項２記載の開閉体装置は、固定部材と、開閉体と、この開閉体に取り付けられるカップ部材、前記固定部材に取り付けられるヒンジ本体、およびこのヒンジ本体と前記カップ部材とを回動可能に取り付けるリンク部材を備えたヒンジ装置とを具備し、このヒンジ装置のカップ部材および前記開閉体のいずれか一方には、係止孔が設けられ、前記ヒンジ装置のカップ部材および前記開閉体のいずれか他方には、前記係止孔に係止する係止突起が設けられているものである。
【００１１】
そして、ヒンジ装置のヒンジ本体を固定部材に取り付ける。この後、このヒンジ装置のカップ部材および開閉体のいずれか一方に設けた係止孔に、これらヒンジ装置のカップ部材および開閉体のいずれか他方に設けた係止突起を係止させる。この結果、ヒンジ装置のリンク部材によるヒンジ本体とカップ部材との回動可能な取り付けによって開閉体が固定部材に回動可能に取り付けられる。このため、この固定部材への開閉体の取り付け性が向上する。
【００１２】
請求項３記載の開閉体装置は、請求項２記載の開閉体装置において、係止孔と係止突起とは、重力方向に沿って係止されているものである。
【００１３】
そして、係止孔と係止突起とが重力方向に沿って係止されるので、開閉体を支えながら係止孔に係止突起を位置合わせした後、この開閉体を重力に従って降ろすことにより、係止突起が係止孔に係止される。この結果、これら係止孔への係止突起の係止によって開閉体が固定部材に回動可能に取り付けられるから、この固定部材への開閉体の取り付け性をより向上できる。
【００１４】
請求項４記載の開閉体装置の施工方法は、固定部材と、開閉体と、この開閉体に取り付けられるカップ部材、前記固定部材に取り付けられるヒンジ本体、およびこのヒンジ本体に前記カップ部材を回動可能に取り付けるリンク部材を備えたヒンジ装置とを具備し、このヒンジ装置のカップ部材および前記開閉体のいずれか一方には、係止孔が設けられ、前記ヒンジ装置のカップ部材および前記開閉体のいずれか他方には、前記係止孔に係止する係止突起が設けられた開閉体装置の施工方法であって、この開閉体装置のヒンジ装置を、このヒンジ装置のヒンジ本体を介して前記固定部材に取り付けた後、前記係止孔に前記係止突起を係止させて前記ヒンジ装置のカップ部材を前記開閉体に取り付けるものである。
【００１５】
そして、ヒンジ装置のヒンジ本体を介して固定部材に取り付ける。この後、このヒンジ装置のカップ部材および開閉体のいずれか一方に設けた係止孔に、これらヒンジ装置のカップ部材および開閉体のいずれか他方に設けた係止突起を係止させる。この結果、ヒンジ装置のリンク部材によるヒンジ本体とカップ部材との回動可能な取り付けによって開閉体が固定部材に回動可能に取り付けられる。このため、この固定部材への開閉体の取り付け性が向上する。
【００１６】
請求項５記載の開閉体装置の施工方法は、請求項４記載の開閉体装置の施工方法において、係止孔に係止突起を重力方向に沿って係止させるものである。
【００１７】
そして、係止孔に係止突起が重力方向に沿って係止されるので、開閉体を支えながら係止孔に係止突起を位置合わせした後、この開閉体を重力に従って降ろすことにより、係止突起が係止孔に係止される。この結果、これら係止孔への係止突起の係止によって開閉体が固定部材に回動可能に取り付けられるから、この固定部材への開閉体の取り付け性をより向上できる。
【００１８】
【発明の実施の形態】
以下、本発明の開閉体装置の第１の実施の形態の構成を図１ないし図１０を参照して説明する。
【００１９】
図１ないし図１０において、１は開閉体装置としてのパチスロ台で、このパチスロ台１は、例えば、パチンコ店に設置されているスロットマシンなどである。また、このパチスロ台１は、固定部材としての筐体であるキャビネット２を備えている。このキャビネット２は、前面が開口したボックス状に構成されている。
【００２０】
そして、このキャビネット２は、このキャビネット２の上面を構成する矩形平板状の上板部３を備えている。この上板部３の長手方向における両端縁には、キャビネット２の両側面を構成する矩形平板状の一対の側板部４，５の上端縁が垂直に取り付けられている。また、これら一対の側板部４，５の下端縁間には、キャビネット２の下面を構成する矩形平板状の下板部６の長手方向における両端縁が垂直に取り付けられている。
【００２１】
さらに、これら上板部３、側板部４，５および下板部６それぞれの幅方向における一側縁である後側には、キャビネット２の背面を構成する矩形平板状の裏板部７が取り付けられている。この裏板部７は、上板部３、側板部４，５および下板部６それぞれに対して周縁部が垂直に取り付けられている。また、これら上板部３、側板部４，５および下板部６それぞれの幅方向における他側縁である前側には、これら上板部３、側板部４，５、下板部６および裏板部７にて仕切られた内部空間８を開口させる矩形状の開口部９が形成されている。
【００２２】
そして、この開口部９には、この開口部９を開閉可能に閉塞する開閉体としての蓋体である遊戯部１１が取り付けられている。この遊戯部１１の裏面には、開口部９が閉塞可能な平坦な矩形の平面部１２が形成されている。また、この遊戯部１１の前面には、遊戯面１３が設けられている。この遊戯面１３の上側には、上側から下側に進むに連れて前側に向けて突出した傾斜面１４が形成されている。また、遊戯面１３の下側には、傾斜面１４の下端縁に沿って突出した平坦な突出面１５が形成されている。この突出面１５の内側には、コインなどが収容される収容空間１６が形成されている。この収容空間１６には、比較的重量のある図示しない遊戯装置や、内部に複数のコインが収容される図示しないコイン収容装置などが取り付けられている。
【００２３】
さらに、遊戯部１１の平面部１２の周縁には、この平面部１２の周方向に沿って裏面側に向けて垂直に突出した外周縁部１７が形成されている。この外周縁部１７における平面部１２の一側部の上側および下側のそれぞれには、この外周縁部１７を厚さ方向に沿って凹状に切り欠いた一対の切欠凹部１８がそれぞれ形成されている。そして、これら一対の切欠凹部１８それぞれには、側面視略コ字状の被係止部としての連結部材２１が取り付けられている。
【００２４】
この連結部材２１は、細長矩形平板状の板体の中央部である細長平板状の本体部２２を備えている。そして、この本体部２２の両端縁には、この本体部２２の両側縁のそれぞれを同じ方向に向けて直角に折り曲げた互いに平行な一対の係止片部２３が形成されている。さらに、これら一対の係止片部２３それぞれの先端縁には、これら一対の係止片部２３それぞれの先端縁を互いに相対する方向に向けて直角に折り曲げた連結片部２４が形成されている。これら連結片部２４は、互いに同一平面上となるように構成されている。ここで、連結部材２１の本体部２２および一対の係止片部２３によって内部空間としての矩形状の取付空間２５が区画形成される。
【００２５】
また、この連結部材２１の一方の係止片部２３には、長穴状の係止孔２６が穿設されている。さらに、この係止孔２６は、係止片部２３の長手方向に沿った長手方向を有している。また、この係止孔２６は、係止片部２３の幅方向における中央部に形成されている。さらに、この係止孔２６は、係止片部２３の厚さ方向に沿って貫通し、この係止片部２３の長手方向における略中央部に形成されている。
【００２６】
そして、連結部材２１は、係止孔２６が形成された側の係止片部２３を上側に向けた状態で、遊戯部１１の平面部１２上に取り付けられる。すなわち、この連結部材２１は、連結片部２４のそれぞれを遊戯部１１の外周縁部１７における切欠凹部１８の両側縁の内側に重ね合わせた状態で、この外周縁部１７にねじ止め固定される。したがって、この連結部材２１は、係止孔２６の開口方向が上下方向である重力方向Ｇに沿うように、遊戯部１１の平面部１２上に取り付けられている。
【００２７】
一方、キャビネット２の一方である正面視左側に位置する側板部５の内側面における前端縁には、パチスロ用ヒンジとしてのヒンジ装置３１が取り付けられている。このヒンジ装置３１は、キャビネット２の開口部９の正面視左側の開口縁に遊戯部１１の幅方向における正面視左側に位置する一側縁を回動可能に取り付けて、このキャビネット２の開口部９を遊戯部１１にて開閉可能にする。そして、このヒンジ装置３１は、キャビネット２の正面視左側の側板部５の内側面における前端縁の上側および下側のそれぞれに取り付けられている。
【００２８】
さらに、このヒンジ装置３１は、断面コ字状である細長溝状の本体部であるヒンジ本体３２を備えている。このヒンジ本体３２は、このヒンジ本体３２の両側面を構成する互いに対応した細長矩形平板状の一対の側面部３３を有している。そして、これら一対の側面部３３の高さ方向における上側には、これら一対の側面部の上側を垂直に閉塞する細長矩形平板状の上面部３４が取り付けられている。さらに、これら上面部３４および一対の側面部３３それぞれの長手方向における一端部である基端部には、矩形平板状の閉塞面部３５が取り付けられている。この閉塞面部３５は、一対の側面部３３および上面部３４のそれぞれの基端側を、上側から下側へと外側に向けて傾斜して、これら一対の側面部３３および上面部３４間を閉塞する。
【００２９】
また、ヒンジ本体３２の各側面部３３の幅方向における下端縁および閉塞面部３５の下端縁のそれぞれには、略コ字型平板状の座板部３６が一体的に取り付けられている。この座板部３６は、ヒンジ本体３２をキャビネット２の正面視左側の側板部５の内側面に対してねじ止めされて取り付けられて固定される。また、この座板部３６は、ヒンジ本体３２の上面部３４の面方向に沿った面方向を有している。さらに、この座板部３６は、ヒンジ本体３２および閉塞面部３５それぞれの外周縁に沿って、これらヒンジ本体３２および閉塞面部３５それぞれに対して垂直に取り付けられている。
【００３０】
ここで、この座板部３６の先端側の内縁部には、凹状の嵌合凹部３７が形成されている。この嵌合凹部３７は、各側面部３３の長手方向に沿った一端側である先端側に設けられている。そして、この嵌合凹部３７の幅方向における一側縁である上側縁には、連結部材２１の上側の係止片部２３が嵌合される。このとき、この連結部材２１の下側の係止片部２３は、座板部３６の幅方向に沿った一側縁である下側縁の外側に嵌合される。
【００３１】
さらに、ヒンジ本体３２の他端部である先端部には、リンク部材４１が取り付けられている。このリンク部材４１は、第１のリンクアーム４２および第２のリンクアーム４３を備えている。そして、これら第１のリンクアーム４２および第２のリンクアーム４３それぞれの基端側は、ヒンジ本体３２の一対の側面部３３間に、これら一対の側面部３３の面方向に沿って回動可能に取り付けられている。
【００３２】
ここで、第１のリンクアーム４２の基端部は、ヒンジ本体３２の一対の側面部３３における先端部の上端側に取り付けられた係止軸としての第１のピン４４に挿通されている。この第１のピン４４は、軸方向をヒンジ本体３２の幅方向に沿わせた状態で取り付けられている。すなわち、この第１のピン４４は、第１のリンクアーム４２をヒンジ本体３２の一対の側面部３３の面方向に沿って回動可能に連結させる。
【００３３】
また、第２のリンクアーム４３の基端部は、ヒンジ本体３２の一対の側面部３３における第１のピン４４よりも基端側に取り付けられた係止軸としての第２のピン４５に挿通されている。この第２のピン４５は、軸方向をヒンジ本体３２の幅方向に沿わせた状態で取り付けられている。したがって、この第２のピン４５は、第２のリンクアーム４３をヒンジ本体３２の一対の側面部３３に沿って回動可能に連結させる。さらに、この第２のピン４５は、ヒンジ本体３２の一対の側面部３３の長手方向における中央部よりも先端側に取り付けられている。また、この第２のピン４５は、ヒンジ本体３２の一対の側面部３３の高さ方向における中央部に取り付けられている。
【００３４】
さらに、ヒンジ本体３２の一対の側面部３３における第２のピン４５よりも基端側には、係止軸としての第３のピン４６が取り付けられている。この第３のピン４６には、付勢手段としての弾性体である一対のコイルスプリング４７が挿通されて取り付けられている。これら一対のコイルスプリング４７は、第２のリンクアーム４３の基端側をヒンジ本体３２の一対の側面部３３の高さ方向における下側に向けて付勢する。すなわち、これら一対のコイルスプリング４７は、ヒンジ装置３１を介して遊戯部１１を回動させてキャビネット２の開口部９を開口させた状態を保持する方向に向けて、この遊戯部１１を付勢する。
【００３５】
そして、これら一対のコイルスプリング４７における互いに相対する側の一端部は、ヒンジ本体３２の上面部３４に係止されている。また、これら一対のコイルスプリング４７における互いに対向する側の一端部は、第２のリンクアーム４３の基端側の上側に係止されている。
【００３６】
そして、この第２のリンクアーム４３の先端側は、取付部材としてのカップ部材５１に回動可能に連結されている。このカップ部材５１は、リンク部材４１によりヒンジ本体３２の先端側に回動可能に連結されている。また、このカップ部材５１は、有底断面矩形筒状のカップ本体５２を備えている。このカップ本体５２の長手方向に沿った一端部である基端側の開口縁には、第２のリンクアーム４３の先端側が係止軸としての第４のピン５３にて回動可能に連結されている。すなわち、この第２のリンクアーム４３の先端側は、カップ本体５２の一対の側面部３３の面方向に沿って回動可能とされている。さらに、この第４のピン５３よりもカップ部材５１の先端側の底部側には、第１のリンクアーム４２の先端側が係止軸としての第５のピン５４により回動可能に連結されている。そして、この第１のリンクアーム４２の先端側もまた、カップ本体５２の一対の側面部３３の面方向に沿って回動可能とされている。
【００３７】
ここで、カップ部材５１のカップ本体５２の幅方向における外幅寸法は、連結部材２１の一対の係止片部２３間の内幅寸法より小さい。すなわち、このカップ本体５２は、このカップ本体５２の底部側が連結部材２１の一対の係止片部２３間に嵌合できるように構成されている。また、このカップ本体５２の先端側の幅方向における内幅寸法は、ヒンジ本体３２の一対の側面部３３間における外幅寸法より大きい。よって、このカップ本体５２は、このカップ本体５２内の先端側にヒンジ本体３２の先端側が嵌合できるように構成されている。さらに、このカップ本体５２の基端側の幅方向における内幅寸法は、第１のリンクアーム４２および第２のリンクアーム４３それぞれの幅方向における外幅寸法より大きい。このため、このカップ本体５２は、このカップ本体５２内の基端側に第１のリンクアーム４２および第２のリンクアーム４３のそれぞれが取り付けられるように構成されている。
【００３８】
なお、ヒンジ装置３１は、カップ部材５１からヒンジ本体３２を引き出すように、第１のリンクアーム４２および第２のリンクアーム４３のそれぞれを回動させる。この結果、このヒンジ装置３１は、カップ部材５１からヒンジ本体３２が突出して、このヒンジ本体３２の座板部３６がカップ部材５１の底面と平行になる。さらに、このヒンジ装置３１は、カップ部材５１にヒンジ本体３２を収容させるように、第１のリンクアーム４２および第２のリンクアーム４３のそれぞれを回動させる。この結果、このヒンジ装置３１は、カップ部材５１にヒンジ本体３２が垂直に収容されて、このヒンジ本体３２の座板部３６がカップ部材５１の底面に直交する。
【００３９】
一方、カップ部材５１のカップ本体５２の幅方向における一側縁である下側縁には、側面視略Ｌ字平板状の係止面部５５が一体的に設けられている。この係止面部５５は、カップ本体５２の開口縁から、このカップ本体５２の幅方向に沿って突出している。さらに、この係止面部５５は、カップ本体５２の長手方向における基端縁にも形成されている。そして、この係止面部５５は、カップ本体５２の基端縁から、このカップ本体５２の長手方向に沿って突出している。
【００４０】
すなわち、この係止面部５５は、カップ本体５２の底部側を連結部材２１の取付空間２５に嵌合させて上側に移動させた際に、このカップ本体５２の係止面部５５の裏面が連結部材２１の本体部２２および下側の係止片部２３それぞれの一側縁に当接するとともに、このカップ本体５２では閉塞できない連結部材２１の取付空間２５の下側および本体部２２側の側部のそれぞれをＬ字状に閉塞するように構成されている。
【００４１】
また、このカップ本体５２の幅方向における他側である上側面の外側には、このカップ本体５２の幅方向に沿って突出した係止突起５６が一体的に形成されている。この係止突起５６は、カップ本体５２の上側面の長手方向に沿った細長突状に形成されている。また、この係止突起５６は、カップ本体５２の上側面の高さ方向における中央部に形成されている。
【００４２】
ここで、この係止突起５６の高さ寸法は、連結部材２１の取付空間２５の高さ方向に沿った内幅寸法、すなわちこの連結部材２１の一対の係止片部２３間の内幅寸法から、カップ本体５２の幅方向における高さ寸法を引いた値よりも小さい。言い換えると、この連結部材２１の取付空間２５の一対の係止片部２３間における内幅寸法は、カップ本体５２の幅方向における外幅寸法と係止突起５６の高さ寸法とを加えた寸法以上となるように構成されている。
【００４３】
さらに、この係止突起５６は、基端側から先端側に向けて先細状に傾斜している。また、この係止突起５６の基端側の幅寸法は、連結部材２１の係止孔２６の幅寸法よりも若干小さい。さらに、この係止突起５６の基端側の長手寸法は、連結部材２１の係止孔２６の長手寸法よりも若干小さい。すなわち、この係止突起５６は、ヒンジ装置３１のヒンジ本体３２をキャビネット２の側板部５の内側面に取り付けた際に、この係止突起５６の突出方向が上下方向としての重量方向に沿うように構成されている。言い換えると、この係止突起５６は、ヒンジ装置３１をキャビネット２に取り付けた状態で、連結部材２１の係止孔２６の下側から重力方向Ｇに沿って、この係止孔２６に係止できるように構成されている。
【００４４】
次に、上記第１の実施の形態の施工方法を説明する。
【００４５】
まず、このヒンジ装置３１のカップ部材５１をキャビネット２の開口部９よりも前側に向けて水平に突出させた状態で、このヒンジ装置３１のヒンジ本体３２の座板部３６をキャビネット２の正面視左側の側板部５の内側面における前端縁にねじ止め固定する。
【００４６】
このとき、図１ないし図４、図７および図８に示すように、このヒンジ装置３１のカップ部材５１のカップ本体５２の底面部の面方向が、このヒンジ装置３１のヒンジ本体３２の座板部３６の面方向に沿うように、このヒンジ装置３１のカップ部材５１をリンク部材４１を介して回動させる。
【００４７】
さらに、連結部材２１の係止孔２６が形成された側の係止片部２３を上側に位置させた状態で、この連結部材２１の各連結片部２４を遊戯部１１の各切欠凹部１８の両側に位置する外周縁部１７の内側に当接させてねじ止め固定する。
【００４８】
この後、この遊戯部１１の平面部１２の面方向を重力方向Ｇに沿わせた状態で、この遊戯部１１を持ち上げる。
【００４９】
そして、この遊戯部１１を水平に移動させて、図９に示すように、この遊戯部１１の各切欠凹部１８に取り付けられた連結部材２１の取付空間２５に、キャビネット２に取り付けられたヒンジ装置３１のカップ部材５１のカップ本体５２の底部側を嵌合させるとともに、このヒンジ装置３１のカップ部材５１の係止突起５６の上方に連結部材２１の係止孔２６を位置させる。
【００５０】
この状態で、図１０に示すように、この遊戯部１１を重力方向Ｇに沿って降ろして、この遊戯部１１に取り付けられた各連結部材２１の係止孔２６を、キャビネット２に取り付けられたヒンジ装置３１の各係止突起５６に係止させる。
【００５１】
この結果、この遊戯部１１がヒンジ装置３１を介してキャビネット２の開口部９に開閉可能かつ回動可能に取り付けられる。
【００５２】
次に、上記第１の実施の形態の開閉動作を説明する。
【００５３】
まず、図５および図６に示すように、キャビネット２の開口部９を遊戯部１１の平面部にて閉塞した状態では、ヒンジ装置３１のカップ部材５１のカップ本体５２の底面部の面方向が、このヒンジ装置３１のヒンジ本体３２の座板部３６の面方向に対して垂直となっている。
【００５４】
このとき、このヒンジ装置３１のカップ部材５１のカップ本体５２の先端側の開口縁がキャビネット２の側板部５の前面に接触しているとともに、この側板部５の外側面よりも内側に位置している。また、遊戯部１１の正面視左側の一側縁は、キャビネット２の側板部５の外側面よりも内側に位置している。
【００５５】
さらに、このヒンジ装置３１のヒンジ本体３２の嵌合凹部３７の上側縁の内縁に、連結部材２１の上側の係止片部２３が嵌合しているとともに、この連結部材２１の下側の係止片部２３が、ヒンジ本体３２の座板部３６の下側縁の外側に嵌合して、このヒンジ装置３１に対する連結部材２１の上下方向への移動が規制されている。
【００５６】
この状態で、遊戯部１１の正面視右側の他側縁に手を掛けて、この遊戯部１１の正面視右側を手前に引いて、この遊戯部１１の平面部１２の面方向がキャビネット２の側板部５の面方向に沿うまで、この遊戯部１１を回動させてキャビネット２の開口部９を開口させる。
【００５７】
この結果、図１ないし図４、図７および図８に示すように、この遊戯部１１の平面部１２がキャビネット２の側面部５よりも外側に位置し、このキャビネット２の開口部９が全体に亘って開口される。
【００５８】
上述したように、上記第１の実施の形態によれば、遊戯部１１の平面部１２の面方向を重力方向Ｇに沿わせた状態で、この遊戯部１１を持ち上げる。そして、この遊戯部１１の平面部１２に取り付けた各連結部材２１の係止孔２６を、キャビネット２の正面視左側の側板部５に取り付けたヒンジ装置３１の係止突起５６の上方に位置合わせさせる。
【００５９】
この状態で、遊戯部１１を重力方向Ｇに従って下降させることにより、この遊戯部１１の平面部１２に取り付けた各連結部材２１の係止孔２６に、各ヒンジ装置３１の係止突起５６が係止されて、この遊戯部１１がヒンジ装置３１を介してキャビネット２の開口部９に開閉可能かつ回動可能に取り付けられる。
【００６０】
したがって、従来のように、一般的に比較的重量のある遊戯装置やコイン収容装置などが取り付けられた遊戯部１１をキャビネット２の開口部９に取り付ける際に、この遊戯部１１を片手のみで持ち上げて支えながら、キャビネット２に予め取り付けられたヒンジ装置３１に遊戯部１１を押し付けて取り付ける押し付け作業が不要となる。
【００６１】
この結果、この遊戯部１１のヒンジ装置３１を介したキャビネット２の開口部９への開閉可能な取り付けが確実かつ容易にできる。よって、このキャビネット２への遊戯部１１の取り付け性を向上でき、この遊戯部１１の取り付け施工を格段に向上できる。
【００６２】
特に、連結部材２１の係止孔２６の開口方向を重力方向Ｇに沿わせつつ、この連結部材２１を遊戯部１１の平面部１２に取り付けるとともに、ヒンジ装置３１の係止突起５６の突出方向を重力方向Ｇに沿わせつつ、このヒンジ装置３１をキャビネット２の側板部５に取り付けた。
【００６３】
この結果、遊戯部１１の平面部１２を重力方向Ｇに沿わせた状態で持ち上げて支えながら、この遊戯部１１に取り付けた各連結部材２１の係止孔２６を、キャビネット２の側板部５に取り付けた各ヒンジ装置３１の係止突起５６に位置合わせした後に、この遊戯部１１を重力に従って降ろすだけで、各ヒンジ装置３１の係止突起５６を各連結部材２１の係止孔２６に確実かつ容易に係止できる。
【００６４】
さらに、各ヒンジ装置３１のコイルスプリング４７により、このヒンジ装置３１のヒンジ本体３２に対してカップ部材５１を外側に向けて回動させた状態が付勢されて保持される。この結果、遊戯部１１の各連結部材２１の係止孔２６を各ヒンジ装置３１の係止突起５６に係止させる作業を容易にできるので、この遊戯部１１をキャビネット２の開口部９に吊り込んで取り付ける作業を容易にできる。
【００６５】
同時に、これらヒンジ装置３１のコイルスプリング４７による付勢により、遊戯部１１を回動させてキャビネット２の開口部９を開口させた状態が保持される。このため、この遊戯部１１を押さえながら作業する必要が無くなるので、キャビネット２の開口部９を開口させた状態での作業者のメンテナンス作業などをより容易にできる。
【００６６】
また、各ヒンジ装置３１のカップ部材５１のカップ本体５２の底部側を連結部材２１の取付空間２５に嵌合させて上側に移動させて、この連結部材２１の係止孔２６にヒンジ装置３１の係止突起５６を係止させた際に、このヒンジ装置３１のカップ部材５１の係止面部５５が、このカップ部材５１のカップ本体５２では閉塞できない連結部材２１の取付空間２５の下側および本体部２２側の側部のそれぞれをＬ字状に閉塞する。この結果、このヒンジ装置３１の係止面部５５によって、このヒンジ装置３１のカップ本体５２の底部側を連結部材２１の取付空間２５に嵌合させて係止させた際の見栄えを良くできる。
【００６７】
同時に、ヒンジ装置３１のカップ部材５１のカップ本体５２の底部側を連結部材２１の取付空間２５に嵌合させて係止させた際に、このヒンジ装置３１の係止面部５５の裏面が連結部材２１の本体部２２および下側の係止片部２３のそれぞれの一側縁に当接する。この結果、この連結部材２１の取付空間２５にヒンジ装置３１のカップ部材５１を嵌合させて係止させて、キャビネット２の開口部９に遊戯部１１を取り付けた際の、この遊戯部１１のキャビネット２に対するがたつきを防止できる。
【００６８】
さらに、キャビネット２の開口部９を遊戯部１１にて閉塞した際に、各ヒンジ装置３１のヒンジ本体３２の嵌合凹部３７の上側縁の内縁に、連結部材２１の上側の係止片部２３が嵌合されるとともに、この連結部材２１の下側の係止片部２３が、ヒンジ本体３２の座板部３６の下側縁の外側に嵌合される。この結果、キャビネット２の開口部９を遊戯部１１にて閉塞させた際における、この遊戯部１１の上下方向への移動を防止できる。
【００６９】
次に、本発明の第２の実施の形態を図１１を参照して説明する。
【００７０】
この図１１に示すパチスロ台１は、基本的には図１ないし図１０に示すパチスロ台１と同様であるが、各連結部材２１の係止片部２３に係止突起５６を設けるとともに、各ヒンジ装置３１のカップ部材５１に係止孔２６を設けたものである。すなわち、各連結部材２１の係止突起５６を各ヒンジ装置３１の係止孔２６に係止させることによって、遊戯部１１がキャビネット２の開口部９に開閉可能に取り付けられる。
【００７１】
そして、係止突起５６は、各連結部材２１の一方の係止片部２３の内側面に一体的に設けられている。さらに、この係止突起５６は、この係止突起５６の長手方向を連結部材２１の一方の係止片部２３の長手方向を沿わせた状態で、この係止片部２３の長手方向および幅方向それぞれにおける中央部に設けられている。また、この係止突起５６は、連結部材２１の係止片部２３の面方向に対して垂直に突出している。
【００７２】
さらに、この係止突起５６が設けられた側の反対側に位置する係止片部２３には、この係止突起５６を係止させたヒンジ装置３１の係止孔２６からの係止突起５６の脱落を防止する脱落防止具としての直方体状の抜止ブロック６１が取り付けられている。この抜止ブロック６１は、連結部材２１の他方の係止片部２３の幅方向における一側縁の中央部に、この抜止ブロック６１の一辺の中央部が取り付けられている。
【００７３】
また、この抜止ブロック６１は、連結部材２１の他方の係止片部２３の厚さ方向に沿って回動可能に取り付けられている。すなわち、この抜止ブロック６１は、この抜止ブロック６１による連結部材２１の一方の係止片部２３側への回動により、この連結部材２１の取付空間２５における他方の係止片部２３側を閉塞する。また、この抜止ブロック６１の厚さ寸法Ａは、連結部材２１の一対の係止片部２３間の内幅寸法から、ヒンジ装置３１のカップ部材５１のカップ本体５２の外幅寸法を引いた値に略等しい。さらに、この抜止ブロック６１の厚さ寸法は、係止突起５６の高さ寸法以上である。
【００７４】
一方、係止孔２６は、ヒンジ装置３１のカップ部材５１のカップ本体５２の上側面における外側に設けられている。また、この係止孔２６は、この係止孔２６の長手方向をカップ本体５２の上側面の長手方向に沿わせた状態で、このカップ本体５２の上側面の基端側の幅方向における中央部に設けられている。さらに、この係止孔２６は、連結部材２１の係止突起５６が係止される程度の深さ寸法、すなわちこの係止突起５６の高さ寸法よりも若干大きな深さ寸法を有している。
【００７５】
また、このカップ本体５２の開口縁には、係止面部５５が形成されている。この係止面部５５は、カップ本体５２の上側に係止孔２６を形成したことにより、この係止孔２６が形成された側であるカップ本体５２の上側の開口縁にも形成されている。
【００７６】
したがって、遊戯部１１の平面部１２を重力方向Ｇに沿わせて持ち上げて、この遊戯部１１に取り付けた連結部材２１の各係止突起５６をキャビネット２に取り付けたヒンジ装置３１の係止孔２６の上方に位置させ、この遊戯部１１を重力に従って降ろすだけで、各連結部材２１の係止突起５６が各ヒンジ装置３１の係止孔２６に係止されて、遊戯部１１がキャビネット２の開口部９に取り付けられるので、上記第１の実施の形態と同様の作用効果を奏することができる。
【００７７】
さらに、各連結部材２１の取付空間２５にヒンジ装置３１のカップ部材５１のカップ本体５２の底部側を嵌合させるとともに、このカップ本体５２の係止孔２６に連結部材２１の係止突起５６を係止させた状態で、この連結部材２１の抜止ブロック６１を上方に向けて回動させて、この抜止ブロック６１を連結部材２１の下側の係止片部２３とカップ本体５２の下側面との間の空間に挿入する。
【００７８】
この結果、各連結部材２１の取付空間２５へのヒンジ装置３１のカップ部材５１のカップ本体５２の嵌合、および、このカップ本体５２の係止孔２６への連結部材２１の係止突起５６の係止のそれぞれが抜止ブロック６１にて抜止保持される。したがって、この抜止ブロック６１を連結部材２１の下側の係止片部２３とカップ本体５２の下側面との間の空間に挿入することによって、キャビネット２からの遊戯部１１の脱落を簡単な構成で確実に防止できる。
【００７９】
なお、上記第２の実施の形態において、抜止ブロック６１は、連結部材２１の下側の係止片部２３とカップ本体５２の下側面との間の空間に圧入などの適宜な固定方法により挿入できれば、どのような構成であってもよい。
【００８０】
次に、本発明の第３の実施の形態を図１２ないし図１４を参照して説明する。
【００８１】
この図１２ないし図１４に示すヒンジ装置３１は、基本的には図１ないし図１０に示すヒンジ装置３１と同様であるが、このヒンジ装置３１を介して遊戯部１１を回動させてキャビネット２の開口部９を開口させた際に、このキャビネット２の開口部９を遊戯部１１にて開口させた状態をヒンジ装置３１にて保持するものである。
【００８２】
そして、このヒンジ装置３１のヒンジ本体３２の一対の側面部３３のそれぞれには、これら一対の側面部３３の長手方向に沿った長穴状の摺動溝部７１が形成されている。これら摺動溝部７１は、各側面部３３の高さ方向における中央部に設けられている。また、ヒンジ本体３２の上面部３４には、この上面部３４の幅方向に沿った長手方向を有する細長矩形状の係合溝部７２が形成されている。この係合溝部７２は、ヒンジ本体３２の上面部３４の長手方向における中央部に設けられている。
【００８３】
さらに、このヒンジ本体３２の外側には、第２のリンクアーム４３が取り付けられている。この第２のリンクアーム４３の基端側は、ヒンジ本体３２の摺動溝部７１に摺動可能に挿通された第２のピン４５の両端部に回動可能に係止されている。さらに、この第２のリンクアーム４３の先端側は、カップ部材５１に取り付けられた第４のピン５３に回動可能に挿通されて、このカップ部材５１に対して回動可能に取り付けられている。
【００８４】
また、ヒンジ本体３２の内側には、合成樹脂製の細長略平板状の弾性を有する弾性部材７３が取り付けられている。この弾性部材７３は、ヒンジ本体３２の一対の側面部３３間に収容される。また、この弾性部材７３の表面の長手方向における一端部である基端部には、ヒンジ本体３２の係合溝部７２に係合されて固定される断面Ｌ字状の係合爪部７４が形成されている。
【００８５】
さらに、この弾性部材７３の表面の長手方向における中間部には、円形状の取付凹部７５が形成されている。この取付凹部７５は、弾性部材７３の厚さ方向に沿った軸方向を有している。そして、この取付凹部７５には、弾性体としてのコイルスプリング７６の一端部が嵌合されて係止されて取り付けられている。このコイルスプリング７６は、遊戯部１１を回動させてキャビネット２の開口部９を開口させた状態が保持できるように、ヒンジ本体３２に対してカップ部材５１を外側に向けて回動させた状態を付勢して保持する。
【００８６】
また、この取付凹部７５が形成された側の反対側である弾性部材７３の裏面の長手方向における基端側には、この弾性部材７３の幅方向に沿った断面凹弧状の係合凹部７７が形成されている。この係合凹部７７は、第２のリンクアーム４３を開動作させた際に、第２のピン４５が係脱可能に係合されて、ヒンジ本体３２に対してカップ部材５１を位置決め保持する。
【００８７】
そして、この弾性部材７３の長手方向における他端部である先端部には、この弾性部材７３の幅方向に沿って第１のピン４４が回動可能に挿通されている。この第１のピン４４は、ヒンジ本体３２の一対の側面部３３それぞれの長手方向における先端部に取り付けられている。また、この第１のピン４４には、第１のリンクアーム４２の基端側が回動可能に挿通されて取り付けられている。そして、第１のリンクアーム４２の長手方向における中間部には、係止軸としての第６のピン７８が回動可能に挿通されて取り付けられている。この第６のピン７８は、第２のリンクアーム４３の長手方向における中間部に取り付けられている。
【００８８】
さらに、第１のリンクアーム４２の先端側には、係止軸としての第７のピン７９が回動可能に挿通されて取り付けられている。この第７のピン７９は、第３のリンクアーム８１の基端側に取り付けられている。そして、この第３のリンクアーム８１の先端側は、カップ部材５１のカップ本体５２に取り付けられた第５のピン５４に挿通されて回動可能に取り付けられている。
【００８９】
次に、上記第３の実施の形態の開閉動作を説明する。
【００９０】
まず、図１３に示すように、キャビネット２の開口部９を遊戯部１１の平面部にて閉塞した状態では、このキャビネット２の正面視左側の側板部５の内側面に取り付けられたヒンジ装置３１のヒンジ本体３２の各摺動溝部７１の基端側に第２のピン４５が位置している。
【００９１】
この状態で、遊戯部１１の正面視右側を手前に引いて、この遊戯部１１をヒンジ装置３１にて回動させて、キャビネット２の開口部９を開口させる。
【００９２】
このとき、図１４に示すように、第２のリンクアーム４３の開動作に伴って第２のピン４５がヒンジ本体３２の各摺動溝部７１内を先端側に向けて移動するとともに、この第２のピン４５がコイルスプリング７６の弾性力に抗して弾性部材７３の係合凹部７７に係合して、遊戯部１１によるキャビネット２の開口部９の開口状態が位置決め保持される。
【００９３】
この状態で、遊戯部１１を回動させてキャビネット２の開口部９を閉塞させると、第２のリンクアーム４３の閉動作に伴って第２のピン４５がコイルスプリング７６の弾性力に抗して弾性部材７３の係合凹部７７から外れた後、ヒンジ本体３２の摺動溝部７１内を基端側に向けて移動する。
【００９４】
上述したように、上記第３の実施の形態では、遊戯部１１の正面視右側を手前に引いて、この遊戯部１１をヒンジ装置３１にて回動させることにより、キャビネット２の開口部９が開閉可能に開口されるので、上記第１の実施の形態と同様の作用効果を奏することができる。
【００９５】
また、遊戯部１１にてキャビネット２の開口部９を開口させた際に、これら遊戯部１１とキャビネット２との間のヒンジ装置３１の第２のピン４５が弾性部材７３の係合凹部７７に係脱可能に係合して、この遊戯部１１によるキャビネット２の開口部９の開口状態が保持されるので、このキャビネット２の開口部９の開口状態を簡単な構成で確実に位置決め保持できる。
【００９６】
なお、上記各実施の形態では、キャビネット２の開口部９を遊戯部１１にて開閉可能に閉塞するパチスロ台１について説明したが、パチスロ台１以外の開閉体装置であっても対応させて用いることができる。
【００９７】
また、ヒンジ装置３１のヒンジ本体３２をキャビネット２に取り付けたが、このヒンジ装置３１のヒンジ本体３２を遊戯部１１に取り付けても、上記各実施の形態と同様の作用効果を奏することができる。
【００９８】
【発明の効果】
請求項１記載のヒンジ装置によれば、ヒンジ本体を固定部材に取り付けた後、開閉体に設けた係止孔および係止突起の一方を、カップ部材に設けた係止孔および係止突起の他方に係止させることにより、リンク部材にて開閉体が固定部材に回動可能に取り付けられるため、この固定部材への開閉体の取り付け性を向上できる。
【００９９】
請求項２記載の開閉体装置によれば、ヒンジ装置のヒンジ本体を固定部材に取り付けた後、このヒンジ装置のカップ部材および開閉体のいずれか一方に設けた係止孔に、これらヒンジ装置のカップ部材および開閉体のいずれか他方に設けた係止突起を係止させることにより、このヒンジ装置のリンク部材によるヒンジ本体とカップ部材との回動可能な取り付けによって開閉体を固定部材に回動可能に取り付けることができるから、この固定部材への開閉体の取り付け性を向上できる。
【０１００】
請求項３記載の開閉体装置によれば、係止孔と係止突起とが重力方向に沿って係止されるので、開閉体を支えながら係止孔に係止突起を位置合わせした後、この開閉体を重力に従って降ろすだけで、係止突起が係止孔に係止して開閉体を固定部材に回動可能に取り付けることができるから、この固定部材への開閉体の取り付け性をより向上できる。
【０１０１】
請求項４記載の開閉体装置の施工方法によれば、ヒンジ装置のヒンジ本体を介して固定部材に取り付けた後、このヒンジ装置のカップ部材および開閉体のいずれか一方に設けた係止孔に、これらヒンジ装置のカップ部材および開閉体のいずれか他方に設けた係止突起を係止させることにより、ヒンジ装置のリンク部材によるヒンジ本体とカップ部材との回動可能な取り付けによって開閉体を固定部材に回動可能に取り付けることができるから、この固定部材への開閉体の取り付け性を向上できる。
【０１０２】
請求項５記載の開閉体装置の施工方法によれば、係止孔に係止突起が重力方向に沿って係止されるので、開閉体を支えながら係止孔に係止突起を位置合わせした後、この開閉体を重力に従って降ろすだけで、係止突起が係止孔に係止して開閉体を固定部材に回動可能に取り付けることができるから、この固定部材への開閉体の取り付け性をより向上できる。
【図面の簡単な説明】
【図１】本発明の第１の実施の形態の開閉体装置の一部を示す分解斜視図である。
【図２】同上開閉体装置のヒンジ装置を示す断面図である。
【図３】同上開閉体装置の開口状態を示す斜視図である。
【図４】同上開閉体装置の開口状態を示す断面図である。
【図５】同上開閉体装置の閉塞状態の一部を示す断面図である。
【図６】同上開閉体装置の閉塞状態を示す断面図である。
【図７】同上開閉体装置を開口させる状態の一部を示す断面図である。
【図８】同上開閉体装置の開口状態を示す断面図である。
【図９】同上開閉体装置の組立て前の状態の一部を示す断面図である。
【図１０】同上開閉体装置の組立て後の状態の一部を示す断面図である。
【図１１】本発明の開閉体装置の第２の実施の形態の一部を示す分解斜視図である。
【図１２】本発明の開閉体装置の第３の実施の形態のヒンジ装置の一部を示す分解斜視図である。
【図１３】同上開閉体装置の閉塞状態の一部を示す説明上面図である。
【図１４】同上開閉体装置の開口状態の一部を示す説明上面図である。
【符号の説明】
１    開閉体装置としてのパチスロ台
２    固定部材としてのキャビネット
１１    開閉体としての遊戯部
２６    係止孔
３１    ヒンジ装置
３２    ヒンジ本体
４１    リンク部材
５１    カップ部材
５６    係止突起
Ｇ    重力方向
【図１】
2004346490.tif 000003
【図２】
2004346490.tif 000004
【図３】
2004346490.tif 000005
【図４】
2004346490.tif 000006
【図５】
2004346490.tif 000007
【図６】
2004346490.tif 000008
【図７】
2004346490.tif 000009
【図８】
2004346490.tif 000010
【図９】
2004346490.tif 000011
【図１０】
2004346490.tif 000012
【図１１】
2004346490.tif 000013
【図１２】
2004346490.tif 000014
【図１３】
2004346490.tif 000015
【図１４】
2004346490.tif 000016